(57)【要約】【課題】操作の利便性に優れ、誤操作を低減させることがきるドアガラス昇降用スイッチ構造を提供する。【解決手段】本発明は、車両用ドアガラスを昇降させるためのスイッチに係るドアガラス昇降用スイッチ構造であって、前記スイッチはタッチセンサーからなり、前記スイッチが取り付けられるスイッチ取付部材１６には、上部を開口するようにスイッチ操作用凹部６０が設けられており、前記スイッチのうちドアガラス上昇用スイッチ７０Ａは、前記スイッチ操作用凹部６０内の側面６０Ａに設けられていることを特徴とする。【選択図】図３
2015223864.tif 000002
【特許請求の範囲】
【請求項１】
車両用ドアガラスを昇降させるためのスイッチに係るドアガラス昇降用スイッチ構造であって、
前記スイッチはタッチセンサーからなり、
前記スイッチが取り付けられるスイッチ取付部材には、上部を開口するようにスイッチ操作用凹部が設けられており、
前記スイッチのうちドアガラス上昇用スイッチは、前記スイッチ操作用凹部内の側面に設けられていることを特徴とするドアガラス昇降用スイッチ構造。
【請求項２】
前記ドアガラス上昇用スイッチは、
前記スイッチ操作用凹部内の側面のうち、車両後方の後壁面に設けられていることを特徴とする請求項１に記載のドアガラス昇降用スイッチ構造。
【請求項３】
前記後壁面は、
少なくとも前記スイッチ操作用凹部の車両後方側の開口縁部から前記ドアガラス上昇用スイッチに至る後壁面が車両後方側に傾斜していることを特徴とする請求項２に記載のドアガラス昇降用スイッチ構造。
【請求項４】
前記スイッチ操作用凹部の開口縁部のうち、車両後方側の開口縁部が隆起状になっていることを特徴とする請求項１から請求項３のいずれか１項に記載のドアガラス昇降用スイッチ構造。
【請求項５】
前記スイッチのうちドアガラス下降用スイッチは、前記スイッチ取付部材の表面に露出して設けられており、当該ドアガラス下降用スイッチのスイッチ表面が、前記スイッチ取付部材の表面よりも窪んだ位置に設けられていることを特徴とする請求項１から請求項４のいずれか１項に記載のドアガラス昇降用スイッチ構造。
【発明の詳細な説明】
【技術分野】
【０００１】
本発明は、車両用ドアガラスを昇降させるためのスイッチに係るドアガラス昇降用スイッチ構造に関する。
【背景技術】
【０００２】
従来、車両用ドアガラス昇降用のスイッチとして、下記特許文献１に記載のものが知られている。特許文献１に記載されたタッチセンサー式のドアガラス昇降用スイッチは、スイッチパネルの表面に複数並置されており、作動させたいドアガラス別に適宜スイッチを選択し該当スイッチに触れることで、ドアガラスの昇降操作を行うことができるものである。このため、該当スイッチを選択する際に、隣り合うスイッチや付近のスイッチに誤って触れることがあり、特に、運転中は手探りでスイッチに触れるため、意図しない誤操作を招くおそれがある。
【先行技術文献】
【特許文献】
【０００３】
【特許文献１】特表２００９−５１７２８２公報
【発明の概要】
【発明が解決しようとする課題】
【０００４】
そこで、このような誤操作を防止すべく、ドアガラスを昇降させるためのスイッチ、特に、上昇させるためのスイッチとは別にもう１つ、異なる箇所にスイッチを設け、これら２箇所に設けた２つのスイッチを同時に操作することによりドアガラスを上昇させる方法とすることも考えられる。しかしながら、これら２箇所に同時に接触した状態でしかドアガラスが上昇しないため、操作が煩わしく、特に運転中にドアガラスを上昇させようとする際の利便性に優れない。また、２箇所の同時操作にある程度習熟しないと、スムーズにドアガラスの昇降ができず、この点においても利便性に優れない。
【０００５】
本発明は、上記事情に鑑みてなされたものであり、操作の利便性に優れ、誤操作を低減させることがきるドアガラス昇降用スイッチ構造を提供することを目的とする。
【課題を解決するための手段】
【０００６】
上記課題を解決するために、本発明のドアガラス昇降用スイッチ構造は、車両用ドアガラスを昇降させるためのスイッチに係るドアガラス昇降用スイッチ構造であって、前記スイッチはタッチセンサーからなり、前記スイッチが取り付けられるスイッチ取付部材には、上部を開口するようにスイッチ操作用凹部が設けられており、前記スイッチのうちドアガラス上昇用スイッチは、前記スイッチ操作用凹部内の側面に設けられていることを特徴とする。
【０００７】
このようなドアガラス昇降用スイッチ構造によると、乗員が自らの指をスイッチ操作用凹部内に挿入した状態で、自然に当該スイッチ操作用凹部内の側面に設けられたドアガラス上昇用スイッチに触れることが可能となる。これにより、従来から存在する機械式のドアガラス昇降用スイッチに近い操作性を実現し、利便性に優れたものとなる。
【０００８】
なお、従来から存在する機械式のドアガラス昇降用スイッチとは、車両内装材等のスイッチ取付部材の上面に設けられたスイッチ操作用凹部の一部を蓋するような形状、かつ上下操作が可能なスイッチであって、ドアガラスを上昇させるためには、当該スイッチ操作用凹部に指の先端を挿入し、指の腹部分でスイッチを持ち上げるように上方に引っ張る。一方、ドアガラスを下降させるためには、スイッチの上面に指を置き、スイッチをスイッチ操作用凹部に沈み込ませるように下方に押す構成のものである。
【０００９】
つまり、上記本発明に係る構成において、ドアガラス上昇用スイッチが、スイッチ操作用凹部内の側面に設けられており、スイッチ操作用凹部内に挿入させた指先でタッチセンサー式のドアガラス上昇用スイッチに触れるため、上述したように機械式のスイッチ操作用凹部に指の先端を挿入し、指の腹部分でスイッチを持ち上げるのに近い感覚で、ドアガラスの上昇操作を行うことが可能となり、利便性に優れる。また、乗員が、スイッチ取付部材の上に腕や手を置いても、自らの指をスイッチ操作用凹部内に挿入しない限り、誤ってドアガラス上昇用スイッチに触れることはなく、意図せずドアガラスを上昇させるような誤操作を低減させることができる。
【００１０】
上記ドアガラス昇降用スイッチ構造において、前記ドアガラス上昇用スイッチは、前記スイッチ操作用凹部内の側面のうち、車両後方の後壁面に設けられているものとすることができる。
【００１１】
このようなドアガラス昇降用スイッチ構造によると、従来から存在する機械式のドアガラス昇降用スイッチの操作に近い操作性を実現することができ、利便性に優れている。具体的には、ドアガラス上昇用スイッチが、スイッチ操作用凹部内の側面のうち、車両後方の後壁面に設けられており、スイッチ操作用凹部内に挿入させた指の腹部分でタッチセンサー式のドアガラス上昇用スイッチに触れるため、上述したように機械式のスイッチ操作用凹部に指の先端を挿入し、指の腹部分でスイッチを持ち上げるのとほぼ同感覚で、ドアガラスの上昇操作を行うことが可能となる。また、指関節の自然な曲げ動作に伴ってドアガラス上昇用スイッチに触れることができるため、特別操作に習熟する必要もなく、利便性に優れている。
【００１２】
上記ドアガラス昇降用スイッチ構造において、前記後壁面は、少なくとも前記スイッチ操作用凹部の車両後方側の開口縁部から前記ドアガラス上昇用スイッチに至る後壁面が車両後方側に傾斜しているものとすることができる。
【００１３】
このようなドアガラス昇降用スイッチ構造によると、乗員が意識して自らの指をスイッチ操作用凹部に差し込み、スイッチ取付部材の表面からスイッチ操作用凹部内の後壁面に跨がるように指関節を曲げて、傾斜する後壁面に設けられたドアガラス上昇用スイッチに触れない限りドアガラスの上昇操作が行えないため、誤操作をより低減させることができる。言い換えると、乗員がスイッチ取付部材の上に腕や手を置いたときの自然な手先の形で、指先が偶然スイッチ操作用凹部内に入り込んでも、すぐさまドアガラス上昇用スイッチに触れることはなく、意図せずドアガラスを上昇させてしまうような誤操作を低減させることができる。
【００１４】
上記ドアガラス昇降用スイッチ構造において、前記スイッチ操作用凹部の開口縁部のうち、車両後方側の開口縁部が隆起状になっているものとすることができる。
【００１５】
このようなドアガラス昇降用スイッチ構造によると、乗員が意識して自らの指を隆起状になっている開口縁部を越えて、その車両前方に位置するスイッチ操作用凹部内に差し込み、指関節を曲げてドアガラス上昇用スイッチに触れない限りドアガラスの上昇操作が行えないため、誤操作をより低減させることができる。言い換えると、乗員がスイッチ取付部材の上に腕や手を置いたときの自然な手先の形で、指先が偶然スイッチ操作用凹部内に入り込みにくく、ドアガラス上昇用スイッチにも触れにくく、当該隆起状になっている開口縁部がストッパーのような役割を果たす。
【００１６】
上記ドアガラス昇降用スイッチ構造において、前記スイッチのうちドアガラス下降用スイッチは、前記スイッチ取付部材の表面に露出して設けられており、当該ドアガラス下降用スイッチのスイッチ表面が、前記スイッチ取付部材の表面よりも窪んだ位置に設けられているものとすることができる。
【００１７】
このようなドアガラス昇降用スイッチ構造によると、乗員がドアガラス下降用スイッチの周辺上に置いた指を意識して窪んだ部分に沈ませるように押しつけ、ドアガラス下降用スイッチのスイッチ表面に触れない限りドアガラスの下降操作が行えないため、下降操作に関しても誤操作を低減させることができる。言い換えると、乗員がスイッチ取付部材の上に腕や手を置いたときに、指や手の平等がすぐさまドアガラス下降用スイッチに触れることがなく、意図せずドアガラスを下降させてしまうような誤操作を低減させることができる。
【００１８】
また、このようなドアガラス昇降用スイッチ構造によると、乗員がドアガラス下降用スイッチの周辺上に置いた指を意識して窪んだ部分に沈ませるように押しつけ、ドアガラス下降用スイッチのスイッチ表面に触れるため、上述したように従来から存在する機械式のスイッチの上面に指を置き、スイッチをスイッチ操作用凹部に沈み込ませるように下方に押すのに近い感覚で、ドアガラスの下降操作を行うことが可能となり、利便性に優れる。
【発明の効果】
【００１９】
本発明によれば、操作の利便性に優れ、誤操作を低減させることがきるドアガラス昇降用スイッチ構造を提供することができる。
【図面の簡単な説明】
【００２０】
【図１】車両ドアの斜視図
【図２】スイッチ取付部材の斜視図
【図３】図２のＡ−Ａ線断面図
【図４】図２のスイッチ取付部材の裏面図
【図５】ドアガラスの昇降に係る制御回路を示す略図
【図６】実施形態２に係るドアガラス昇降用スイッチ構造を示す断面図
【発明を実施するための形態】
【００２１】
＜実施形態１＞
本発明の実施形態１を図１から図５を参照しながら詳細に説明する。
図１は、本発明に係るドアガラス昇降用スイッチ構造を備えた車両ドア１００の斜視図である。図１，図２，図４に共通して、図面上、左上方が車両前方Ｆであり、右下方が車両後方Ｒである。車両ドア１００は、車両ドアパネル１０の車室内側に車両内装材１を備えた構成を有し、車両内装材１は、その車室内側面に各種部材を備えている。具体的には、上端部分には車両前後方向に延びる帯状のアッパーボード１２、その下方にはオーナメント１３を備えている。更にその下方には、乗員が車室内側から車両ドアを開閉する際に手を挿入できるよう上部を開口するようなプルハンドルボックス１４を備えたアームレスト１５が取り付けられている。アームレスト１５の車両前方側にはドアガラス５０の昇降を操作するためのスイッチ取付部材１６が配され、スイッチ取付部材１６の上方かつ車両前方側には乗員が車室内側から車両ドア１００を開く際にドアロックを解除するインナハンドル１７が取り付けられており、アームレスト１５とスイッチ取付部材１６との下方に位置するロアボード１８の略中央部にはドアポケット１９が形成されている。
【００２２】
図２及び図３に示すように、スイッチ取付部材１６の表面（上面）１６１の略中央部には、上部を開口するように略正方形状のスイッチ操作用凹部６０が形成されている。このスイッチ操作用凹部６０は乗員が指を挿入できるのに十分な幅ないし深さに形成されており、車両進行方向に対して前壁面６４、左側壁面６３、右側壁面６２、後壁面６１の側面６０Ａと、底面６０Ｂとからなる。
【００２３】
なお、スイッチ操作用凹部６０は、図２では、スイッチ取付部材１６の表面（上面）１６１の略中央部に形成されているが、他の部材との関係上、車両前方寄りや車両後方寄り、車幅方向の左右寄りなど、どの位置に形成されていても良い。また、スイッチ操作用凹部６０が、図２では略正方形状となっているが、乗員が指を挿入できるのに十分な幅ないし深さが確保されていれば、略長方形や略半月型としても良い。更に、長い爪や付け爪等、指先が長い乗員の指を挿入できるのに十分な深さを確保する形状としても良い。なお、従来の機械式スイッチのように、スイッチ操作用凹部６０の底面６０Ｂの下方にスイッチ機構が存在しないため、スイッチ操作用凹部６０の底面６０Ｂを貫通させることもできる。これにより、指先が長い乗員でも制約を受けることなく、操作することができる。また、スイッチ操作用凹部６０の下方の空間が規制されにくくなり、意匠の自由度も上がる。
【００２４】
ドアガラス５０を上昇させるためのドアガラス上昇用スイッチ７０Ａは、導電性樹脂等からなるタッチセンサーにて構成され、側面６０Ａのうち後壁面６１の略中央部に車幅方向に延びる略長方形の形状で設けられている。このようにドアガラス上昇用スイッチ７０Ａをスイッチ操作用凹部６０内の側面６０Ａに設けることで、乗員が、スイッチ取付部材１６の表面（上面）１６１に腕や手を置いても、自らの指をスイッチ操作用凹部６０内に挿入しない限り、誤ってドアガラス上昇用スイッチ７０Ａに触れることはなく、意図せずドアガラス５０を上昇させてしまうような誤操作を低減させることができる。また、特にドアガラス上昇用スイッチ７０Ａを後壁面６１に設けて、指先でスイッチ表面７０１Ａに触れるようにすることで、従来から存在する機械式のドアガラス昇降用スイッチに近い操作性を実現し、利便性に優れる。
【００２５】
なお、従来から存在する機械式のドアガラス昇降用スイッチとは、車両内装材等のスイッチ取付部材の上面に設けられたスイッチ操作用凹部の一部を蓋するような形状、かつ上下操作が可能なスイッチであって、ドアガラスを上昇させるためには、当該スイッチ操作用凹部に指の先端を挿入し、指の腹部分でスイッチを持ち上げるように上方に引っ張る。一方、ドアガラスを下降させるためには、スイッチの上面に指を置き、スイッチをスイッチ操作用凹部に沈み込ませるように下方に押す構成のものである。
【００２６】
つまり、本実施形態１のように、ドアガラス上昇用スイッチ７０Ａが、スイッチ操作用凹部６０内の後壁面６１に設けられており、スイッチ操作用凹部６０内に挿入させた指先でタッチセンサー式のドアガラス上昇用スイッチ７０Ａに触れるため、上述したように機械式のスイッチ操作用凹部に指の先端を挿入し、指の腹部分でスイッチを持ち上げるのに近い感覚で、ドアガラス５０の上昇操作を行うことが可能となり、利便性に優れる。
【００２７】
さらに、このドアガラス上昇用スイッチ７０Ａは、図３に示すように、後壁面６１よりも窪んだ位置に設けられている。このように後壁面６１よりも窪んだ位置に設けることで、指がスイッチ操作用凹部６０内に入った状態でも、乗員が意識して指先（指の先端部分や指の腹部分）を窪んだ部分に沈ませるように押しつけ、ドアガラス上昇用スイッチ７０Ａのスイッチ表面７０１Ａに触れない限りドアガラス５０の下降操作が行えないため、意図せずドアガラス５０を上昇させてしまうような誤操作を低減させることができる。
【００２８】
なお、このドアガラス上昇用スイッチ７０Ａは、乗員が指をスイッチ操作用凹部６０内に挿入した際に、そのスイッチ箇所を指先で探さずとも自然に触れられるのであれば、図２で示した略長方形よりも小さな面積としても良いし、逆に、図２で示した略長方形よりも大きな面積としても良い。また、このドアガラス上昇用スイッチ７０Ａは、略長方形に限らず、略円形状、略正方形状、上下方向に延びる略長方形等としても良い。
【００２９】
一方、ドアガラス５０を下降させるためのドアガラス下降用スイッチ７０Ｂは、上昇用スイッチ７０Ａと同様に導電性樹脂等からなるタッチセンサーにて構成され、スイッチ取付部材１６の表面（上面）１６１に露出するように、スイッチ操作用凹部６０における開口縁部６５のうち、車両後方側の開口縁部６５Ｅの車両後方に設けられている。このドアガラス下降用スイッチ７０Ｂは、車幅方向に延びる略長方形の形状をしており、その長辺が開口縁部６５Ｅと略並行となるように設けられている。なお、このドアガラス下降用スイッチ７０Ｂも、車幅方向に延びる略長方形に限らず、略円形状、略正方形状、車両前後方向に延びる略長方形等としても良い。
【００３０】
さらに、このドアガラス下降用スイッチ７０Ｂは、図３に示すように、スイッチ取付部材１６の表面（上面）１６１よりも窪んだ位置に設けられている。このようにスイッチ取付部材１６の表面（上面）１６１よりも窪んだ位置に設けることで、乗員がドアガラス下降用スイッチ７０Ｂの周辺上に置いた指を意識して窪んだ部分に沈ませるように押しつけて、ドアガラス下降用スイッチ７０Ｂのスイッチ表面７０１Ｂに触れない限りドアガラス５０の下降操作が行えないため、意図せずドアガラス５０を下降させてしまうような誤操作を低減させることができる。
【００３１】
また、このようにスイッチ取付部材１６の表面（上面）１６１よりも窪んだ位置に設けることで、乗員がドアガラス下降用スイッチ７０Ｂの周辺上に置いた指を意識して窪んだ部分に沈ませるように押しつけ、ドアガラス下降用スイッチ７０Ｂのスイッチ表面７０１Ｂに触れるため、従来から存在する機械式のスイッチの上面に指を置き、スイッチをスイッチ操作用凹部に沈み込ませるように下方に押すのに近い感覚で、ドアガラス５０の下降操作を行うことが可能となり、利便性に優れる。
【００３２】
続いて、スイッチ操作用凹部６０内の側面６０Ａのうち、車両後方側に位置する後壁面６１は、底面６０Ｂに向かうほど車両後方側に傾斜している。ここで、後壁面６１のうち、少なくとも車両後方側の開口縁部６５Ｅからドアガラス上昇用スイッチ７０Ａに至る箇所が車両後方側に傾斜していれば良い。このような形状とすると、乗員は、スイッチ操作用凹部６０内に指を挿入した際、スイッチ取付部材１６の表面（上面）１６１からスイッチ操作用凹部６０内の後壁面６１に跨がるように指関節を曲げて（言い換えると、開口縁部６５Ｅを握るように指関節を曲げて）、指先を傾斜する後壁面に設けられたドアガラス上昇用スイッチ７０Ａに触れることで、ドアガラス５０の上昇操作を行うことができる。これにより、乗員がスイッチ取付部材１６の上に腕や手を置いたときの自然な手先の形で、指先が偶然スイッチ操作用凹部６０内に入り込んでも、すぐさまドアガラス上昇用スイッチ７０Ａに触れることはなく、意図せずドアガラス５０を上昇させてしまうような誤操作を低減させることができる。
【００３３】
なお、本実施形態１におけるドアガラス５０の昇降に係る制御は以下の通りである。図４は、図２のスイッチ取付部材の裏面図であり、図５は、ドアガラスの昇降に係る制御回路を示す略図である。乗員が指でドアガラス上昇用スイッチ７０Ａに触れると、人間の指がドアガラス上昇用スイッチ７０Ａに触れたことを示す入力信号が、制御部２００の端子２０Ａを介してタッチマイコン２２に入力される。タッチマイコン２２では、その入力信号をドアガラス上昇信号（ＵＰ信号）に書き換え、該ドアガラス上昇信号（ＵＰ信号）がコネクタ２３、ハーネス２４を介してパワーウィンドモータ２５へと送られる。パワーウィンドモータ２５では、ドアガラス上昇信号（ＵＰ信号）を受けたことに基づいて、モータを作動させ、ドアガラス５０が上昇する仕組みとなっている。なお、静電気保護素子２１は、静電気からタッチマイコン２２を保護するために備えられている。
【００３４】
同様に、乗員が指でドアガラス下降用スイッチ７０Ｂに触れると、人間の指がドアガラス下降用スイッチ７０Ｂに触れたことを示す入力信号が、制御部２００の端子２０Ｂを介してタッチマイコン２２に入力される。タッチマイコン２２では、その入力信号をドアガラス下降信号（ＤＯＷＮ信号）に書き換え、該ドアガラス下降信号（ＤＯＷＮ信号）がコネクタ２３、ハーネス２４を介してパワーウィンドモータ２５へと送られる。パワーウィンドモータ２５では、ドアガラス下降信号（ＤＯＷＮ信号）を受けたことに基づいて、モータを作動させ、ドアガラス５０が下降する仕組みとなっている。
【００３５】
＜実施形態２＞
次に、本発明の実施形態２を図６によって説明する。
図６は、図３と同様の断面図であって、実施形態２に係るドアガラス昇降用スイッチ構造を示す断面図である。なお、実施形態１と同様の部材については同一符号を付して重複する説明を省略する。つまり、同一符号を付した部材については実施形態１と同様の構成を有している。
【００３６】
実施形態１においては、図３に示す開口縁部６５Ｅは、スイッチ取付部材１６の表面（上面）１６１からスイッチ操作用凹部６０内の後壁面６１にかけてなだらかな曲線を描くように形成されているが、実施形態２においては、図６に示すように、開口縁部６５Ｅは隆起状に構成されている。この隆起部６５Ｒは、例えばスイッチ取付部材１６の表面（上面）１６１を構成する部材と後壁面６１を構成する部材との間に、これらの部材より厚みのある部分を形成することで実現されている。具体的には、当該隆起部６５Ｒの肉厚を大きくして成形する他、例えばゴム製部材やエンボス加工等が施された厚みのある部材等を介在させるように形成することもできる。あるいは、図３に示すような曲線状の開口縁部６５Ｅの表面を、ゴム製部材やエンボス加工等が施された別部材で覆うことにより隆起状を形成することもできる。
【００３７】
このように、開口縁部６５Ｅを隆起状とすることで、乗員が意識して自らの指を隆起状になっている開口縁部６５Ｅを越えて、その車両前方に位置するスイッチ操作用凹部６０内に差し込み、指関節を曲げてドアガラス上昇用スイッチ７０Ａに触れない限りドアガラスの上昇操作が行えないため、誤操作を低減させることができる。言い換えると、乗員がスイッチ取付部材１６の上に腕や手を置いたときの自然な手先の形で、指先が偶然スイッチ操作用凹部６０内に入り込みにくく、ドアガラス上昇用スイッチ７０Ａにも触れにくく、当該隆起部６５Ｒがストッパーのような役割を果たす。
【００３８】
＜その他の実施形態＞
本発明は、上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、スイッチ取付部材に、ドアガラス昇降用スイッチ構造が１つのみ設けられているが、例えば運転席側の車両内装材など、複数のドアガラスの昇降操作ができるよう、複数の、あるいはドアガラスの数に応じたドアガラス昇降用スイッチ構造を設ける構成としても良い。
（２）上記実施形態では、ドアガラス上昇用スイッチが、スイッチ操作用凹部内の側面のうち、後壁面に設けられているが、左側壁面や右側壁面等、その他の側面に設ける構成としても良い。
（３）上記実施形態では、スイッチ取付部材は、その表面が水平状に（車両内装材に対して略垂直に）設けられているが、車両内装材のデザイン上、車両前方が上方に傾斜するような形状や、車室内側辺が下方に傾斜するような形状としても良い。
【符号の説明】
【００３９】
１６…スイッチ取付部材、ドアガラス…５０、６０…スイッチ操作用凹部、６０Ａ…スイッチ操作用凹部６０内の側面、６１…後壁面、６５…開口縁部、６５Ｅ…車両後方側の開口縁部、７０Ａ…ドアガラス上昇用スイッチ、７０Ｂ…ドアガラス下降用スイッチ
【図１】
2015223864.tif 000003
【図２】
2015223864.tif 000004
【図３】
2015223864.tif 000005
【図４】
2015223864.tif 000006
【図５】
2015223864.tif 000007
【図６】
2015223864.tif 000008